Podtech/llm-jp-corpus-v4-ja_patent huggingface dataset:
(57)【要約】【課題】遮蔽ブロック同士の引っ掛かりや大きな隙間、長いストリーミングパスが生じることを防止でき、遮蔽ブロック抜き差しを好適に行うことが可能な遮蔽体を提供する。【解決手段】放射線４を遮蔽するための遮蔽体Ａであって、複数の遮蔽ブロック６を組み付けて構成されるとともに、少なくとも一部の遮蔽ブロック６を角錐台形状に形成する。【選択図】図１
2017090275.tif 000002
【特許請求の範囲】
【請求項１】
放射線を遮蔽するための遮蔽体であって、
複数の遮蔽ブロックを組み付けて構成されるとともに、
少なくとも一部の前記遮蔽ブロックが角錐台形状に形成されていることを特徴とする遮蔽体。
【請求項２】
請求項１記載の遮蔽体において、
放射線源から離れるに従い順次小さな角錐台形状の遮蔽ブロックから大きな角錐台形状の遮蔽ブロックが配されるように角錐台形状の複数の遮蔽ブロックを積層して形成されていることを特徴とする遮蔽体。
【発明の詳細な説明】
【技術分野】
【０００１】
本発明は、放射線を遮蔽するための遮蔽体に関する。
【背景技術】
【０００２】
従来、加速器施設、アイソトープ貯蔵施設、ウラン処理施設、原子炉施設、癌診断を行うＰＥＴ施設、癌治療を行う医療用放射線照射施設など、放射線を取り扱う施設においては、放射線源などを隔離するための遮蔽体が設けられている。
【０００３】
例えば、加速器施設では、加速ビームで生成した放射線を遮蔽するための遮蔽体を、壁や天井を鉄やコンクリートの直方体大型ブロック状の複数の遮蔽ブロックを組み合わせて構築するようにしている（例えば、特許文献１参照）。
【先行技術文献】
【特許文献】
【０００４】
【特許文献１】特開２００７−０３３３４８号公報
【発明の概要】
【発明が解決しようとする課題】
【０００５】
一方、加速器施設の遮蔽体等においては、一部の遮蔽ブロックを取り除き、開口部を通じて検出器を内側に設置した後、遮蔽ブロックを開口部に嵌め込んで元に戻し、遮蔽による放射線の減衰特性を実験的に研究するようなケースがある。
【０００６】
しかしながら、このような場合において、検出器がある程度の大きさになると、一つの直方体状の遮蔽ブロックを外して形成された開口部から内側に入れることができなかったり、遮蔽ブロックの取り外し、嵌め戻し（抜き差し）を行なう際に、周囲の遮蔽ブロックとの微妙な位置ずれが生じ、遮蔽ブロック同士が引っ掛かって、取り外した遮蔽ブロックの再設置が困難になる場合がある。
【０００７】
また、取り外した遮蔽ブロックを嵌め込んだ際に大きな隙間が生じてしまうこともある。さらに、直方体ブロックの場合、幾層ものブロックの隙間がつながり、長い直線ストリーミングパス（漏えい経路）が生じてしまうおそれもある。
【０００８】
本発明は、上記事情に鑑み、遮蔽ブロック同士の引っ掛かりや大きな隙間、長いストリーミングパスが生じることを防止でき、遮蔽ブロック抜き差しを好適に行うことが可能な遮蔽体を提供することを目的とする。
【課題を解決するための手段】
【０００９】
上記の目的を達するために、この発明は以下の手段を提供している。
【００１０】
本発明の遮蔽体は、放射線を遮蔽するための遮蔽体であって、複数の遮蔽ブロックを組み付けて構成されるとともに、少なくとも一部の前記遮蔽ブロックが角錐台形状に形成されていることを特徴とする。
【００１１】
また、本発明の遮蔽体においては、放射線源から離れるに従い順次小さな角錐台形状の遮蔽ブロックから大きな角錐台形状の遮蔽ブロックが配されるように角錐台形状の複数の遮蔽ブロックを積層して形成されていることが望ましい。
【発明の効果】
【００１２】
本発明の遮蔽体においては、遮蔽ブロックが角錐台形状（逆台形型）で形成されていることにより、さらに大きさの異なる角錐台形状（逆台形型）の遮蔽ブロックの組み合わせて遮蔽体が構築されていることにより、角錐台形状の遮蔽ブロックを抜き差する際に、ブロック同士の引っ掛かりを生じにくくすることができる。
【００１３】
また、隣り合う遮蔽ブロックの間に大きな隙間が生じることや、長いストリーミングパスをなくすことが可能になる。
【００１４】
すなわち、本発明の遮蔽体によれば、加速器施設などに適用することで、遮蔽ブロックの移動や実験の効率化、放射線の漏えい低減、実験精度の向上を図ることが可能になる。
【図面の簡単な説明】
【００１５】
【図１】本発明の一実施形態に係る遮蔽体（加速器施設）を示す図である。
【発明を実施するための形態】
【００１６】
以下、図１を参照し、本発明の一実施形態に係る遮蔽体について説明する。
【００１７】
本実施形態の遮蔽体Ａは、例えば、図１に示すように、加速器施設１に設けられる遮蔽体であり、鉄やコンクリートで隔離された標的２に加速ビーム３が当たって発生する放射線４を検出するための検出器５、あるいは加速ビーム３がビームダンプ７に当ることによって発生する放射線４を検出するための検出器５を内部に設置するための遮蔽体である。
【００１８】
そして、この遮蔽体Ａは、鉄やコンクリートをブロック状に成形してなる複数の遮蔽ブロック６を積層、組み合わせて形成されている。
【００１９】
一方、本実施形態の遮蔽体Ａは、複数の遮蔽ブロック６のうち、少なくとも一部の遮蔽ブロック６が角錐台形状に形成され、この角錐台形状の遮蔽ブロック６を、その上底を放射線源側に（下方に）、下底を外側に（上方に）配し、複数の他の遮蔽ブロック６とともに隙間なく組み付けるようにして形成されている。
【００２０】
また、本実施形態では、大きさが異なる複数の角錐台形状の遮蔽ブロック６が用いられ、放射線源から離れるに従い順次小さな角錐台形状の遮蔽ブロック６から大きな角錐台形状の遮蔽ブロック６が配されるように積層して遮蔽体Ａが形成されている。
【００２１】
上記構成からなる本実施形態の遮蔽体Ａにおいては、角錐台形状の遮蔽ブロック６を抜き差して検出器５を内側に設置する。
【００２２】
そして、このとき、遮蔽ブロック６が角錐台形状（逆台形型）で形成されていることにより、さらに大きさの異なる角錐台形状（逆台形型）の遮蔽ブロック６の組み合わせて遮蔽体Ａが構築されていることにより、角錐台形状の遮蔽ブロック６を抜き差する際に、ブロック６同士の引っ掛かりを生じにくくすることができる。
【００２３】
また、隣り合う遮蔽ブロック６の間に大きな隙間が生じることや、長いストリーミングパスをなくすことが可能になる。
【００２４】
すなわち、本実施形態の遮蔽体Ａによれば、加速器施設１などに適用することで、遮蔽ブロック６の移動や実験の効率化、放射線の漏えい低減、実験精度の向上を図ることが可能になる。
【００２５】
以上、本発明に係る遮蔽体の一実施形態について説明したが、本発明は上記の実施形態に限定されるものではなく、その趣旨を逸脱しない範囲で適宜変更可能である。
【符号の説明】
【００２６】
１    加速器施設
２    標的
３    加速ビーム
４    放射線
５    検出器
６    遮蔽ブロック
７    ビームダンプ
Ａ    遮蔽体
【図１】
2017090275.tif 000003
(57)【要約】      （修正有）【課題】電子弦楽器本体のピックアップを取り替えることなく異なるピックアップの音色を提供する。【解決手段】弦楽器の電気信号を振動に変え、それをピックアップで再度拾うことにより音色を変化させた。コイル１とその周りに磁石２を設ける。そこに電子弦楽器から出力された電気信号を通電し、そこで発生した振動をピックアップ３で取得し、出力する。その結果、交換しないと出来なかったピックアップの変更が気軽にでき、それによって幅広い音色を得ることが可能になった。【選択図】図１
2017090867.tif 000002
【特許請求の範囲】
【請求項１】
電子弦楽器本体のピックアップで取得される電気信号を異なるピックアップにて再度取得し、音色を変換することを特徴とした装置。
【発明の詳細な説明】
【技術分野】
【０００１】  本発明は、電子弦楽器の電気信号を変換するための装置に関する。
【背景技術】
【０００２】  従来、電子弦楽器のピックアップは本体に固定されているもので、気軽に付け替えることが難しかった。
【発明の概要】
【発明が解決しようとする課題】
【０００３】  これは次のような欠点があった。
ピックアップは電子弦楽器本体に組み込まれているため、ピックアップを変えるには専門のものに依頼するか、別の電子弦楽器を使う必要があった。
本発明は以上のような欠点をなくし、幅広い音色を気軽に再現するためになされた。
【課題を解決するための手段】
【０００４】  本発明は、ピックアップから出力される電気信号を振動に変換し、再度ピックアップが拾い音色を変換する。
本発明は以上の構成よりなるピックアップ変換装置である
【発明の効果】
【０００５】  本発明は従来電子弦楽器を変えるか、ピックアップを交換しないと出来なかったピックアップの変更が気軽にでき、それによって幅広い音色を得ることが可能になった。
【発明を実施するための形態】
【０００６】  以下、本発明を実施するための最良の形態について説明する。
コイル（１）とその周りに磁石（２）を設ける。そこに電子弦楽器から出力された電気信号を通電し、
そこで発生した振動をピックアップ（３）で取得し、出力する。
本発明は以上のような構造である。
【図面の簡単な説明】
【０００７】
【図１】図１はピックアップ変換装置の説明図である。
【符号の説明】
【０００８】１    コイル
２    磁石
３    ピックアップ
【図１】
2017090867.tif 000003
【手続補正書】
【提出日】平成29年2月25日(2017.2.25)
【手続補正１】
【補正対象書類名】特許請求の範囲
【補正対象項目名】全文
【補正方法】変更
【補正の内容】
【特許請求の範囲】
【請求項１】
電子弦楽器本体のピックアップで出力される電気信号を電子楽器本体とは別のピックアップにて再度取得をしたうえ出力し、音色を変換することを特徴とした装置。
(57)【要約】【課題】単音１０穴ハーモニカにおいて、１台で１２平均律全てのキー及びメジャー、マイナー、セブンスといった各種既定コード等にも可変対応できる「マルチキーハーモニカ」を提供する。【解決手段】１２音階３オクターブ分のリード（１）を、各単音１穴に対し吹口側は４、吸口側は３．３３の割合でリードケース（２）内へ割当てて並び揃える。マウスピース（３）とリードケースとの間に通気板（４）を設け、各単音１穴に対してコードに符合する各音階を割当てた通気穴（５）を設置する。これにより目的とするキーのみに息が通り音を鳴らす。１２音階のキーが半音上がる毎に、単音１穴に対して吹口側は２０分の５、吸口側は２０分の６ずつ各リードケースを移動して切り換え、１２音階全てのキーに対応出来るようにする。合わせてメジャー、マイナー、セブンス等、通気板の通気穴位置の設定を変える事で、各種既定コードや任意の音階設定にも対応出来るようにした事を特徴とする。【選択図】図１
2017090864.tif 000002
【特許請求の範囲】
【請求項１】
単音１０穴ハーモニカにおいて、１台で１２平均律全てのキー、及び様々な各種既定コードや任意の音階割当てに可変対応が可能な事を特徴としたハーモニカ。
【請求項２】
単音１０穴ハーモニカ以外のハーモニカにおいても、１２平均律のキー毎に複数の取り揃えが必要となるハーモニカについては、本発明概念の応用展開を請求範囲とする。
【発明の詳細な説明】
【技術分野】
【０００１】  本発明は、通称「ブルースハープ」とも呼ばれる単音１０穴ハーモニカに関し、１台で１２平均律の全ての音階キーや様々なコード等に可変対応できるものに関する。
【背景技術】
【０００２】  単音１０穴ハーモニカは、現在、１２平均律のキー毎に製造されている。そのため演奏者は、キーやコードが違う演奏曲に対応するため、複数のハーモニカを取り揃える必要がある。
【発明の概要】
【発明が解決しようとする課題】
【０００３】  本発明の目的は、１台で１２平均律の全てのキー及びメジャー、マイナー、セブンスといった様々なコード等の設定に可変対応出来る、マルチキー単音１０穴ハーモニカの提供にある。
【課題を解決するための手段】
【０００４】  本発明のハーモニカは、全てのキーに対応するため、１２音階３オクターブ分のリード（１）を取り揃えてリードケース（２）内に設置する。そのリードケースをハーモニカ内部で横移動させて切り換えを行い、コードに見合った１２音階の各キーを各単音１０穴へ的確に割り当てて息を通し、各穴で目的とするキーのみが鳴るようにした事を特徴とする。【０００５】  単音１０穴ハーモニカは、音階の割当て間隔が吹口側と吸口側で異なるため、１２音階のリードを各単音１穴に対して吹口側４、吸口側３．３３の割合でリードケース内へ割当てて並び揃える。
→  図１−（Ｂ）横断面図−ｂ  参照【０００６】  単音１０穴のマウスピース（３）とリードケースとの間に通気板（４）を設置し、コードに対応して吹口側と吸口側の音階間隔に合った通気穴（５）を設置する。これにより、目的とするコードに見合うキーのリードのみに息が通り、音が鳴る事となる。
→  図１−（Ｂ）横断面図−ａ，ｂ  及び  （Ｃ）縦断面図  参照【０００７】  １２音階３オクターブ分のリードを並び揃えたリードケースは、キーが半音上がる毎に単音１穴に対して吹口側２０分の５、吸口側２０分の６ずつ左へ移動し、通気板に設置した各通気穴とリードケース内の半音上がったリードの穴を符合させる。これによりリードケースの移動後は、各穴で半音上がったキーが鳴る事となる。
→  図１−（Ｂ）横断面図−ｃ  参照【０００８】  本発明によるハーモニカは、一般的な「メジャー」コードに加え「マイナー」「ナチュラルマイナー」「セブンス」他各種既定コードや、独自発想による任意の音階設定にも、通気板の通気穴の設置位置を目的に応じて変える事で可変対応が可能であり、演奏者の演奏幅を広げる事が出来る。
→  図１−（Ｂ）横断面図−ａ，ｄ，ｅ，ｆ  参照
【発明の効果】
【０００９】  現在、単音１０穴ハーモニカ演奏者は、キーやコードが違う演奏曲に対応するために複数のハーモニカを取り揃えている。これ等に対し本発明によるハーモニカは、１台で全てのキーや様々なコードに対応し、多くの利便を提供する事が出来る。またハーモニカ初心者もこの１台を手にする事で、自分の吹きたい曲のキーへ柔軟に対応出来、練習意欲を損なう事がない。更には教育の場においても、この１台で多様な課題曲へ対応が可能となり、国内外を問わず音楽教育や音楽交流の広がりにも貢献できる。加えて、複数のハーモニカを取り揃える必要が無くなる事から、エコ社会にも適合するハーモニカである。
【図面の簡単な説明】
【００１０】
【図１】本発明の概念図で、１２平均律全てのキー及び様々なコード等に対応する仕組みを示す。
【図２】本発明を実施するための基本構造図を示す。
【発明を実施するための形態】
【００１１】  以下、本発明を実施するための形態について説明する。
【００１２】  本発明において、演奏者の息はマウスピース（３）部分で内部仕切り板により各穴に仕分けられる。次に穴毎に通気板（４）の通気穴（５）を通る。通気穴はメジャー他各種既定コード等、目的に応じた個所に設置して開けられる。
→  図２−（Ａ）平面図  及び  （Ｂ）横断面図  参照
【００１３】  通気板の通気穴を通った息は、リードケース（２）の各穴を通り、コードに合った所定のキーのリード（１）のみを鳴らす事が出来る。なお、リードをリード板（７）へ単純に１音毎横に並べると、横幅がかさんで大きくなってしまう。その対策として、リードを隔順で２枚のリード板に分けて配置し、リードケース内へ並べ揃えていく方法を示す。これにより製作上のハーモニカの横幅を小さくする事が可能である。
→  図２−（Ｃ）横断面図  及び  （Ｄ）横断面図  及び  （Ｅ）縦断面図  参照
【符号の説明】
【００１４】  （１）リード：振動により１２音階各キーの音を出す金属板。
（２）リードケース：１２音階３オクターブ分のリードを格納するケース。
（３）マウスピース：口が触れて息を吹く又は吸う、ハーモニカの接口部。
（４）通気板：マウスピースとリードケースとの間で、息を通す制限をする中間板。
（５）通気穴：目的とするリードに息を通すために、通気板に設けられた穴。
（６）隔て板：各リード板を仕切る板。
（７）リード板：リードを固定する金属板。
（８）カバー：ハーモニカ全体を覆う外装部。
【図１】
2017090864.tif 000003
【図２】
2017090864.tif 000004
(57)【要約】【課題】判別しづらい季節物の衣類に色分けしたタグ（ラベル）を取付る事を提供する。【解決手段】従来のタグ（ラベル）もしくは新たにタグ（ラベル）を付ける際、色分けする事により簡単に判別出来る様になる。冬物は暖色系、夏物は寒色系の色とする事を特徴とする。【選択図】図１
2017090869.tif 000002
【特許請求の範囲】
【請求項１】
季節物の衣類を判別する為にタグ（ラベル）の色を変える。
従来品のタグ（ラベル）を変更もしくは新たにタグ（ラベル）をつける。
一目で夏用、冬用か判断出来る、タグ（ラベル）をつける。
【発明の詳細な説明】
【技術分野】
【０００１】  この発明は衣類を仕分けするのに夏物、冬物を判別するのを簡単かつ明確に記すタグ（ラベル）である。
【背景技術】
【０００２】  従来、暖かいインナー（冬物衣料）涼しいインナー（夏物衣料）の製品は見た目では中々判別できなかった。購入時はパッケージに記載されているが袋から出したら判別しづらい。
【先行技術文献】
【特許文献】
【０００３】
【特許文献１】
【発明の概要】
【発明が解決しようとする問題】
【０００４】  これは次のような欠点があった。
（イ）キャミソールおよび薄手のものは、類似しているので、タグ（ラベル）をみて判        別するしかない。
（ロ）繰り返し洗濯するとタグの文字が消え判別できなくなる。
（ハ）夏物、冬物を整理する際、判別しづらい。
本発明は、以上のような欠点をなくすためになされたものである。
【課題を解決するための手段】
【０００５】  従来のタグ（ラベル）もしくは新しくタグ（ラベル）を取付ける際、色分けする事により簡単に判別出来る様になる。
冬物は暖色系、夏物は寒色系の色とする。
タグ（ラベル）の色、形状は企業により様々である。
本発明は、以上の構成よりなる衣類のタグ（ラベル）である。
【発明の効果】
【０００６】  （イ）一目で（タグ、ラベルの色を見て）夏物、冬物の判別が出来る。
（ロ）幼児や高齢者でも簡単に判別が出来る。
（ハ）繰り返し洗濯しても文字は消えるがタグ（ラベル）の色は消えない。
（ニ）購入者の無駄な時間の短縮、間違えて着用する事がなくなる。
【図面の簡単な説明】
【０００７】
【図１】本発明の使用状態を示した説明図である。
【発明を実施するための形態】
【０００８】以下、本発明を実施するための形態について説明する。
従来のタグの色を変える。
もしくは、従来のタグ（ラベル）のほかにタグ（ラベル）を取付ける。
冬物は暖色系、夏物は寒色系の色とする。
各企業により材質、色、形態、取付場所は様々なものとする。
本発明は、以上のような構造である。
これを使用するときは、タグ（ラベル）の色を見て判断する。
【０００９】１  襟元の後ろのタグ（ラベル）
２  衣類（内側）のタグ（ラベル）
３  衣類（外側）のタグ（ラベル）
【図１】
2017090869.tif 000003
(57)【要約】      （修正有）【課題】探索効率とメモリー効率の良い素数探索アルゴリズムを提供する。【解決手段】自然数Ｎに対して、√Ｎまでの素数で除算し、割り切れるか否かを調べる。√Ｎまでの素数で割り切れなかったら、自然数Ｎは素数である。因みに、２以外の素数は総て奇数なので、奇数のみを調べれば良い。【効果】このアルゴリズムは素数のみを見つけ出していくので、この見つけ出した素数を配列に入力して行けばメモリー効率も良く、しかも今までの探索アルゴリズムよりも高速である。【選択図】なし【特許請求の範囲】
【請求項１】
剰余定理を使った素数探索アルゴリズム
【発明の詳細な説明】
【技術分野】
【０００１】  この発明は、コンピューターのソフトウェアに関する物である。
【発明の概要】
【０００２】  この発明は、剰余定理を使った高速の素数探索アルゴリズムである。素数は２からで、１は素数ではなく、自然数は素数か倍数であり、有理整数の範囲では素因数分解の一意性から剰余が有る場合は素数となる性質を使った物である。
【背景技術】
【０００３】  今までの素数探索アルゴリズムは、エラトステネスのふるい等を使った、探索効率の悪い、時間のかかる、メモリー効率の悪い探索アルゴリズムを使っていた。
【発明の開示】
【発明が解決しようとする課題】
【０００４】  今までの探索効率の悪い、時間のかかる、メモリー効率の悪い素数探索アルゴリズムを高速に、しかもメモリー効率も良くする物である。
【課題を解決するための手段】
【０００５】  この為、この発明は、剰余定理を使い、高速に素数を探索するアルゴリズムである。素数は２からで、１は素数ではなく、自然数は素数か倍数であり、有理整数の範囲では素因数分解の一意性から剰余が有る場合は素数となる性質を使った物である。
剰余定理を使うと自然数Ｎは
Ｎ＝Ｐ・Ｑ＋Ｒ
と表す事が出来て、素数の最初の数は２であって、１は素数ではなく、有理整数の範囲では素因数分解は一意的であるので、倍数（合成数）は
Ｎ＝Ｐ・Ｑ
となり、剰余Ｒがある場合は、自然数Ｎは素数である。
Ｎ＝Ｐ・Ｑ＋Ｒ  ：素数  （Ｒ≠０）
素数の探索には、倍数の表示  Ｎ＝Ｐ・Ｑ  より、√Ｎまでの素数で自然数Ｎを割り、割り切れるかを調べれば良い。
√Ｎまでの素数で割り切れなかったら、自然数Ｎは素数である。
因みに、２以外の素数は総て奇数なので、奇数のみを調べれば良い。
このアルゴリズムは素数のみを見つけ出していくので、この見つけ出した素数を配列に入力して行けばメモリー効率も良く、しかも今までの探索アルゴリズムよりも高速である。
【発明の効果】
【０００６】  この発明は、素数の探索を高速に、しかも、メモリー効率も良くする物で、プログラム自体も小さく、メモリー管理のみに注意すれば良い。
【リストの簡単な説明】
【０００７】  ［リスト１］が本発明のＢＡＳＩＣプログラム・リストである。１００行が保存用のプログラム名を書いた行で、アスキーセーブである。１１０行のＷが求める素数の個数で、Ｚ（＊）が素数を入れる配列、Ｉが素数を入れる配列のインデックス、Ｎが計算する自然数である。１２０行のＪは割る素数の配列のインデックスで、０からＩまでである。１３０行は剰余を計算する行で、剰余が０の時は倍数となり、割り切れたので次の奇数を計算するようにＦＯＲループを抜ける。１４０行は剰余が０でなく、しかも、素数が√Ｎよりも大きくなった時に素数を見つけたとしてループを抜けて、配列に素数を書き込む行へ飛ぶ。１５０行は次の素数で割る為のＮＥＸＴである。１６０行は配列のインデックスをインクリメントして、配列に素数を書き込み、インデックスが目的の個数に達した時に終了する行へ飛ぶ。１７０行は次の奇数を計算する為に２を足してＦＯＲループに戻る。
［リスト２］がＣで書き直したプログラム・リストである。変数・配列は総て倍の長さの整数で宣言してある。ｓｑｒ（）関数はフロートで宣言し、最初に変数ｗ，ｚ〔＊〕，ｉ，ｎにそれぞれ初期値を代入してある。ラベルを２つ使い、ｆｏｒループを使ってｊをインクリメントしながら計算をしている。剰余ｒの計算はキャスト演算を自明にしていて、剰余ｒが０の時、ｇｏｔｏ文でＮＥＸＴのラベルに飛んでループを抜け、剰余ｒが０でない時に、ｓｑｒ（ｎ）より素数が大きい時にもｂｒｅａｋ文でループを抜ける。配列ｚ〔＊〕には、インデックスｉをインクリメントしてから素数を代入し、素数の求める個数がｗより小さい間、自然数ｎに２を足して次の奇数としてｇｏｔｏ文でラベルＳＴＡＲＴに戻っている。個数が求める個数ｗに達するとｍａｉｎルーチンを抜ける。
(57)【要約】【課題】電子ギター演奏の身体的負担を少なくし、高度なクラシック奏法を可能にするギターレスト（支持具）がない。【解決手段】楽な姿勢で座った状態で膝に置いたギターの高低・角度・左右の位置を自由に変え最良のポジションで演奏できるギターレスト（支持具）の製作【選択図】図１
2017090833.tif 000002
【特許請求の範囲】
【請求項１】
ポリカ中空板等でギターの一部をしっかり挟んで固定する装置
【表１０】
2017090833.tif 000012
【請求項２】
じょうぶな金属製蝶ねじとスライダーを二箇所使用し、上下と左右・前後の調節が可能となる装置
【表１１】
2017090833.tif 000013
【発明の詳細な説明】
【技術分野】
【０００１】
電子ギターを膝に乗せて演奏に最適の角度に固定する為の支持具
【背景技術】
【０００２】
楽な姿勢でハイレベルなギター演奏を可能にするギターレスト（支持具）は、共鳴胴体のあるクラシックギターやアコースティックギター用のものはありますが、それらと形状の異なる共鳴胴体のない電子ギター用はありません。肩に吊り下げて演奏するのが一般的ですが、この姿勢での演奏は体力的にも技術的にも問題があります。ギターを膝に乗せた状態でギターの高さや角度を調整し固定できる支持具で、体力のない人や足の不自由な人も最適の状態でギター演奏ができます。
【表１】
2017090833.tif 000003
【発明の概要】
【発明が解決しようとする課題】
【０００３】
ギターで長時間高度なクラシック音楽を演奏する時はギターを最良の位置に固定して安定する必要があります。肩から下げ立って演奏すると無理な姿勢や力が必要になりよい演奏は困難です。体力のない人や足の不自由な人は不可能です。
【課題を解決するための手段】
【０００４】
ギター位置の高さ・角度を自由に調整できる電子ギター用レスト（支持具）で、楽な姿勢で効率よくハイレベルのクラシック音楽を演奏できます。
【表２】
2017090833.tif 000004
【発明の効果】
【０００５】
ギター位置の高さ・角度が調節でき安定するので楽な姿勢で演奏できます。体力のない人や足の不自由な人も扱いやすい電子ギター（ヤマハ株式会社サイレントギター等）の演奏が楽しめます。
【図面の簡単な説明】
【０００６】
【図１】サイレントギターレストの使用例
【発明を実施するための形態】
【０００７】
ギターとしっかり連結する連結部と膝に安定して置ける膝置き台部を丈夫な金属ネジと金属スライダーで連結し、上下・左右・前後の角度が自由に変えられるようなギター支持装置
【実施例】
【０００８】
ギターとの連結部（表３〜６）と膝置き台部（表７〜９）の製作例（この場合は、ヤマハ株式会社製サイレントギター用です）
【表３】
2017090833.tif 000005
【表４】
2017090833.tif 000006
【表５】
2017090833.tif 000007
【表６】
2017090833.tif 000008
【表７】
2017090833.tif 000009
【表８】
2017090833.tif 000010
【表９】
2017090833.tif 000011
【産業上の利用可能性】
【０００９】
どんな場所でもどんな姿勢でも電子ギターでクラシック音楽が演奏できるので、体力のない人や足の不自由な人等電子ギターでクラシック音楽演奏を楽しむ人が増加する。
【図１】
2017090833.tif 000014
(57)【要約】【課題】    本発明は、停止しても倒れない自転車に関する技術を提供する。【解決手段】前輪のハブ（６）の左右に、ベアリング（１０）を挿入して設ける。この左右のベアリング（１０）に、それぞれストッパー（５）を固定して設ける。またこのストッパー（５）を固定した固定部分と反対側に、それぞれ動作レバー（７）を固定して設ける。つぎにハブ（６）の軸に固定して、固定軸（８）を設ける。さらにハンドル（１）のブレーキレバー（２）に、ブレーキワイヤー（４）を固着して、さらに該ワイヤーを頭管（３）の中を通して設ける。そうして頭管（３）から出た該ワイヤーの外皮部分を固定軸（８）に固定する。さらに【特許請求の範囲】
【請求項１】
前輪のハブ（６）の左右に、ベアリング（１０）を挿入して設け、この左右のベアリング（１０）に、それぞれストッパー（５）を固定して設け、またこのストッパー（５）を固定した固定部分と反対側に、それぞれ動作レバー（７）を固定して設ける、つぎにハブ（６）の軸に固定して、固定軸（８）を設ける、さらにハンドル（１）のブレーキレバー（２）に、ブレーキワイヤー（４）を固着して、さらに該ワイヤーを頭管（３）の中を通して設け、そうして頭管（３）から出た該ワイヤーの外皮部分を固定軸（８）に固定し、さらに該ワイヤーのワイヤー部分を動作レバー（７）に固定する、このような特徴構成よりなる、横転防止用ストッパー付自転車。
【発明の詳細な説明】
【技術分野】
【０００１】  本発明は、自転車が止まると、この時に運転者の重心が、自転車の傾きに働き転倒しやすくなるので、それを防止する為の安全技術に関するものである。
【背景技術】
【０００２】  従来は、特に子供や高齢者に転倒する人が多かった。
【発明が解決しようとする課題】
【０００３】  現状では、自転車で道路を走るにも、自動車が多く、より自転車を安定して走行する事が必要である。しかし自転車は、乗る人のバランス感覚で、安定させるので、この重心バランスが狂った時に、自転車は簡単に転倒してしまう。
特に、自転車を止めると、足で支える必要が生じる。
これらの問題点を改善し、今までにない有効な本発明がなされたのである。
【課題を解決するための手段】
【０００４】  本発明は出来る限りの簡単構成で形成されている。以下解決手段を説明する。
まず自転車の前輪のハブ（６）の左右に、ベアリング（１０）を挿入して取り付ける。
さらに、この左右のベアリング（１０）の外周部に、各々ストッパー（５）の後端部を固定して設ける。つぎにこのストッパー（５）の固定部分と反対側に対比するベアリング（１０）の外周部に、左右それぞれの、動作レバー（７）を固定して設ける。
さらにハブ（６）の軸に固定して、固定軸（８）を設ける。またハンドル（１）のブレーキレバー（２）に、通常、設けられているブレーキワイヤーに追加して、ブレーキワイヤー（４）を固着させて設ける。さらにこの別ルートの該ワイヤーを頭管（３）の中を通して設け、この頭管（３）から出た該ワイヤーの外皮部分を固定軸（８）に固定して、さらに該ワイヤーのワイヤー部分を動作レバー（７）に固定して設ける。
つまり、該ワイヤーの構造は、パイプ網状の外皮の中をワイヤーが動けるように設けられている事は、周知されている。
本発明は以上のような特徴よりなる、横転防止用ストッパー付自転車である。
【発明の効果】
【０００５】  本発明は、自転車のブレーキと連動されており、自転車が止まると、図２のごとく、ストッパーが人を乗せたままの状態で、自転車を支えるので、バランスを保ったまま転倒せずに止める事ができる。
【発明を実施するための最良の形態】
【０００６】  自転車の前輪のハブ（６）の左右に、ベアリング（１０）を挿入して設ける。さらにこの左右のベアリング（１０）の外周部の一端に、それぞれストッパー（５）の後端部を固定して設ける。つぎにストッパー（５）の固定部分と対比しての、反対側には各々の動作レバー（７）を固定して設ける。さらにハブ（６）の軸に固定して、固定軸（８）を設ける。またつぎに、ハンドル（１）のブレーキレバー（２）に、ブレーキワイヤー（４）を固定して設け、該ワイヤーの一端から頭管（３）の中を通して、頭管（３）より出てきた、該ワイヤーの一端の外皮部分を固定軸（８）に溶着固定する。これと、同時にそのパイプ状の外皮部分の中を、通されているブレーキワイヤー（４）の一端を動作レバー（７）に固着させて設ける。
本発明は、以上のような構成であり、これを使用実施するときには、【０００７】図１、図２のごとく、ハンドル（１）のブレーキレバー（２）を引くと、動作レバー（７）が引かれてストッパー（５）の先端の位置が、地面に対して真下に来る。この時に自転車もブレーキが掛かって止まっており、自転車はバランス良く安定して、人を乗せたまま停止している。また自転車を発進するときは、ブレーキレバー（２）から手を離すとストッパー（５）が上に跳ね上がり、普通に運転出来る。
【図面の簡単な説明】
【０００８】
【図１】  本発明の説明側面図である。
【図２】  本発明の説明正面図である。
【符号の説明】
【０００９】  １  ハンドル
２  ブレーキレバー
３  頭管
４  ブレーキワイヤー
５  ストッパー
６  ハブ
７  動作レバー
８  固定軸
９  タイヤ
１０  ベアリング
１１  ホーク
【図１】
2017214046.tif 000002
【図２】
2017214046.tif 000003
(57)【要約】【課題】従来の丸瓦は玉縁の穴で釘や針金で下地と緊結することで、固定されたが、反対側の頭は，玉縁の上に被さるだけだったため、地震力や雪などの外的な強い力により丸瓦の頭側が浮き上がり、外れることがあった。本発明は、地震力や雪などの外的な力による浮き上がりを防ぐことのできる丸瓦を提供する。【解決手段】頭側の裏面に突起を設け、突起を次の丸瓦の玉縁の下に配置することで、頭側の浮き上がりを下地と緊結された玉縁が抑えることで、実現できる。施工者は頭の半円形に形成される部分に玉縁に差し入れることで、玉縁緊結だけで、丸瓦の浮き上がりを防ぐことができ、このことで巴瓦から連なる丸瓦を簡便に連結一体化することができ、強い屋根をつくることができる。【選択図】図２
2017214813.tif 000002
【特許請求の範囲】
【請求項１】
丸瓦に代表される玉縁を有する瓦で、玉縁と反対側の頭側の裏面に突起を有し、施工する際に、玉縁の下に突起が配置されることで、丸瓦が連結できる。従来の丸瓦では、地震力や雪による外力で、頭側が浮き上がり外れることを  本発明の丸瓦では防ぐことができる。
【発明の詳細な説明】
【技術分野】
【０００１】  この発明は、傾斜屋根面や陸屋根面に施工される丸瓦に関するものです。
【背景技術】
【０００２】  従来、丸瓦は本瓦葺きに使用されるように長い歴史をもつ大変優れた形状の瓦です。しかしながら、玉縁を針金もしくは釘で固定するので、反対の頭側が地震や雪の力ではずれる被害がおきた。
丸瓦の裏面に突起状部を設け、団子モルタルに押し付けて、一体化固定させ，耐風・耐震性を向上させる。（特許文献１）
丸瓦の頭の位置に穴をあけ、その下に重なる丸瓦の玉縁にも同様の穴をあけて、釘を下地の縦桟に打ち込み、丸瓦の連結と固定を図ることで施工性の向上を図る。
（特許文献２）
丸瓦の頭凸部が尻凹部に嵌合することで、連結する。
丸瓦の頭部側端面及び尻部側端面を各所定の小角度ずつ尻部側に下降傾斜させていることを特徴とする丸瓦（特許文献３）
【先行技術文献】
【０００３】
【特許文献１】特開２００６−９４４３号公報
【特許文献２】特開２００２−３０７６６号公報
【特許文献３】特開２００５−１１３４１４号公報
【発明の概要】
【発明が解決しようとする課題】
【０００４】  従来の丸瓦は玉縁を針金や釘で固定し次の丸瓦の上に被せて施工してきたが丸瓦の固定は玉縁側の片方でしたので、より堅固に固定するには同上端部に穴をあけ針金で固定する必要があった。しかしながら、同上端部の針金による固定方法では美観上好ましくなく、また穴からの雨水の侵入が避けられなかった。
本発明は以上の問題点を解決するために発明されたものである。
【課題を解決するための手段】
【０００５】  丸瓦の頭側の裏面に突起を設け、施工するさいに玉縁の下部に差し挿れることで、頭側の浮き上がりを防止でき、玉縁側の固定のみで堅固に固定できる
【発明の効果】
【０００６】  本発明の裏面突起付き丸瓦であるが、本瓦葺きに使用される際には玉縁の緊結だけで丸同士あるいは軒巴も連結することができる。丸瓦は平瓦の浮き上がりを抑える働きもあるため、丸瓦の連結固定化は、本瓦葺きそのものの耐震性を高めることに大いに寄与することができる。棟瓦として丸瓦を施工する場合では、のし瓦積みの最上部に丸瓦は施工されるので、丸瓦の連結固定化は棟そのものの耐震性を高めることが出来る。
【図面の簡単な説明】
【０００７】
【図１】従来の丸瓦が巴瓦から連結が外れる様子と本発明の連結の様子を示す図
【図２】斜視図  玉縁が頭側裏面の左右の突起から構成される半円形の溝に嵌る様子を示す
【図３】側断面図  玉縁と裏面突起様子を示す図
【図４】正面図  頭側の裏面突起と尻側の玉縁の位置を示す図
【代表図面】
斜視図
【発明を実施するための形態】
【００８】  以下、本発明の実施形態を図面に基づいて説明する。［図１］従来の丸瓦は巴瓦の玉縁の上に頭側を被せ、尻側の玉縁の上に次の丸瓦の頭を連続して被せて施工する。玉縁の穴に針金や釘で下地に緊結することで固定されるが、地震などの揺れで、尻側が浮き上がり外れる。１つが外れると全体の連結力が著しく低下し、大きな被害が生じることがあった。本発明は従来の玉縁緊結に加え、浮き上がりやすい頭側を玉縁で抑えることができるので、より堅固に連結できる。［図２］では従来の丸瓦と比較して、本発明は丸瓦の裏面に突起を持つことで、玉縁を突起の上に挿入することで尻側の浮き上がりの防ぐことが出来る。
［図３］の側断面図で頭側の裏面突起が玉縁より下に位置することを示す。［図４］の正面図では従来の丸瓦と比較して、本発明は丸瓦の裏面に突起を持つことで、玉縁を突起の上に挿入することで浮き上がりの防ぐことが出来る。
【符号の説明】
【０００９】１．巴瓦
２．従来の丸瓦
３．突起付丸瓦
４．玉縁
５．突起
６．緊結用の穴
７．頭側
８．尻側
【図１】
2017214813.tif 000003
【図２】
2017214813.tif 000004
【図３】
2017214813.tif 000005
【図４】
2017214813.tif 000006
(57)【要約】【課題】  従来の目打ちでは、円形など曲線の形状に対して複数回の目打ち作業を要し効率が悪かった。また、従来の目打ちの製造方法では、目打ち本体を事前に目的の形状にする必要があり、目打ちの突起を仕上げる上で効率が悪かった。【解決手段】  目打ち本体を素材に合わせて必要な長さに切断し、さまざまな形に曲げることができ、従来は複数回を要した目打ち作業を一度で行うことが出来る。また、目打ちにより形成される穴に傾きがあることを特徴とする目打ち本体の製造方法は、事前に素材の形状に合わせて加工する必要が無く加工前の形状が長さのある直線状のものなどに統一できるため治具や金型を使用し、突起の形状を加工することができる。目打ちの突起の形状はジグザグ状の刃を持つものを削る、切るなど加工することで得られ効率よく生産できる。【選択図】図１
2017214537.tif 000002
【特許請求の範囲】
【請求項１】
穴をあける目打ちにおいて、複数の突起を持つことと、目打ち本体を切断できることと、目打ち本体が曲ることと、目打ちにより形成される穴に傾きがあることと、を特徴とする目打ち。
【請求項２】
請求項１の特徴を備える目打ちにおいて、ジグザグ状のものから加工される目打ちの製造方法。
【発明の詳細な説明】
【技術分野】
【０００１】  本発明は、皮革及び合皮の製品製造に用いる主に手縫いを目的とした穴をあけるための目打ちに関する。
【背景技術】
【０００２】  従来の皮革及び合皮の製品製造に用いる主に手縫いを目的とした目打ちは図８の１１に示す突起が本体の下部に直線状に配置され、本体上部に図８の１３に示す持ち手が設けられたものとなる。【０００３】  状来の皮革及び合皮の製品製造に用いる主に手縫いを目的とした目打ちの製造方法は、主に鋼を使用し火造りで行う。図９の１４に示す本体の下部を底面側より図１０の１６のように斜めに削り、先端を図１１の１７に示すような形状に手作業で研ぐことで図１１の１８に示す目打ちの突起を設けいている。
【発明の概要】
【発明が解決しようとする課題】
【０００４】  以上に述べた従来の目打ちでは、例えば図１２のような円形など曲線の形状の皮革及び合皮の素材に対して、例えば図１３のように皮革及び合皮の製品製造に用いる主に手縫いを目的とした目打ちを行う場合、合計１３回の目打ち作業を要し効率が悪かった。【０００５】  以上に述べた従来の目打ちの製造方法では、図１１の１８に示すような突起を一つ一つ手作業で仕上げていくため製造に要する時間がかかった。【０００６】  本発明は、このような従来の目打ちが有していた問題を解決しようとするものであり、皮革及び合皮の素材の形状に関わらず効率のよい目打ち作業を実現することを目的とする。
【課題を解決するための手段】
【０００７】  目打ち本体を切断、曲げることで素材の形状に合わせる。また、目打ち本体は複数の突起を持ち目打ちにより形成される穴に傾きがある。【０００８】  目打ちの先端にある突起の形状はジグザグ状のものから加工する。
【発明の効果】
【０００９】  上述したように本発明の目打ちは、切ることで長さを調節し、曲げることでさまざまな皮革及び合皮の素材の形状に合わせることができるため一連の目打ち作業をまとめて一回で行うことができる。【００１０】  また、本発明は目打ち本体を皮革及び合皮の素材に合わせて切断し曲げるため、目打ち本体の製造については、例えば長さのある直線状のものなど常に同じ目打ち本体の加工前の形状において目打ちに必要な突起をつくることができる。
【図面の簡単な説明】
【００１１】
【図１】  本発明の目打ちにおける斜視図
【図２】  本発明の活用における斜視図
【図３】  本発明の実施形態における斜視図
【図４】  本発明の実施形態における底面図
【図５】  本発明の実施形態における治具正面図
【図６】  本発明の実施形態における金型正面図
【図７】  本発明の目打ちで形成される穴における平面図
【図８】  従来の目打ちにおける正面図
【図９】  従来の目打ち加工前本体における正面図
【図１０】  従来の目打ち加工方法における底面図
【図１１】  従来の目打ち突起形状における斜視図
【図１２】  従来の皮革、合皮素材形状における平面図
【図１３】  従来の円形への目打ち回数における平面図
【発明を実施するための形態】
【００１２】  以下、本発明の実施形態を図１から図７に基づいて説明する。
【００１３】  図１の目打ち本体は、曲げることが出来る程度の厚みを持ち、本体の下部に２に示す傾きがある突起を設け、本体の上部に３に示す断面がある。
【００１４】  図１の目打ち本体を必要な長さに切断し曲げることで図２のような円形に加工し一度の作業で図７に示すような傾きのある穴を形成する。
【００１５】  図３の４に示す本体は図４に示す底面側において、例えば縦方向もしくは横方向に折れるジグザグ状の形状の刃を設け、本体の上部に断面がある。本体の下部にあるジグザグ状の形状を、例えば図５のような治具を使い図５の７に一部を示すジグザグ状の折り返し部を削り、例えば図６に示す金型を使い、図６の１０に一部を示す折り返し部の上部から折り返し部の下部にかける部分を右方向もしくは左方向の一方を除くことで得られる折り返し部の上部から折り返し部の下部にかけて傾きを持つ部分を突起の形状とする図１の１に示す目打ちを製造できる。
【符号の説明】
【００１６】１  目打ち本体
２  下部突起
３  上部断面
４  ジグザグ状を持つ本体
５  治具上部
６  治具下部
７  ジグザグ角部
８  金型上部
９  金型下部
１０  切断する片側
１１  下部突起
１２  目打ち本体
１３  持ち手
１４  本体の下部
１５  加工前本体
１６  斜めの削り
１７  突起の先端
１８  突起
【図１】
2017214537.tif 000003
【図２】
2017214537.tif 000004
【図３】
2017214537.tif 000005
【図４】
2017214537.tif 000006
【図５】
2017214537.tif 000007
【図６】
2017214537.tif 000008
【図７】
2017214537.tif 000009
【図８】
2017214537.tif 000010
【図９】
2017214537.tif 000011
【図１０】
2017214537.tif 000012
【図１１】
2017214537.tif 000013
【図１２】
2017214537.tif 000014
【図１３】
2017214537.tif 000015
(57)【要約】【課題】  通常の水彩絵具に適応する熱収縮プラスティックシートの改質を目標とし、それは従来にない親水性および吸水性，そして長期にわたる品質保持とを総合するプラスティック本体及び表面処理剤を課題とする。【解決手段】  表面処理とする基剤は、小片にした牛乳パックをセルラーゼを用いて溶解し、１００μｍ以下の粒体を含む液状のパルプであり，または粉砕機によって紙を１００〜１０μｍの粉体にしたパルプ水溶液を用いる。基剤となるパルプ被膜は，親水性および吸水性が良好であるため，顔料を吸着しやすく．さらに乾燥を早め，耐熱性にも優れている。この基剤に，界面活性剤および接着剤を混ぜて得られた塗料は，プラスティックにはじかれることなく塗布が可能である。【特許請求の範囲】
【請求項１】
通常の水彩絵具で描ける熱収縮プラスティックシート本体。
【請求項２】
プラスティックの表面処理剤。
【発明の詳細な説明】
【技術分野】
【０００１】  本発明は，プラスティックに表面処理を施し，親水性と吸水性と長期の改質保持とを総合する本体とその被膜の形成剤である。
【背景技術】
【０００２】  疎水性であるプラスティックの表面処理を行って親水性へと改質し，印刷性をもたせるための技術としてはプラズマ照射，化学蒸着，紫外線照射などが考えられる。【０００３】  一般的な手法として知られているプラズマ照射は，プラスティック表面の親水性が処理後すぐに減少し，時間経過とともに失われる。
【非特許文献１】  ＩＨＩ技報  Ｖｏｌ５２  Ｎｏ４（２０１２年）６５ページ。
【発明の概要】
【発明が解決しようとする課題】
【０００４】  通常の水彩絵具で描けるプラスティックの改質は，親水性に加えて吸水性が必須であり，上記のいずれの方法においても吸水性が達成できないし，一般的なクラフト材料とするには長期にわたる改質の保持が不可欠である。【０００５】  本発明は，水彩絵具に適応するプラスティックシートの改質を目標とし、それは従来にない親水性および吸水性，そして長期にわたる品質保持が可能であると共に，その表面処理剤は刷毛でも塗布できる簡易な作業性をもち，経済的であり利便性の高い塗料であることを課題とする。
【課題を解決するための手段】
【０００６】  表面処理とする基剤は、小片にした牛乳パックをセルラーゼ（三菱化学フーズ株式会社製  スクラーゼＣ）を用いて溶解し、１００μｍ以下の粒体を含む液状のパルプであるか，または粉砕機により紙を１００〜１０μｍの粉体にしたパルプ水溶液を用いる。【０００７】  基剤となるパルプ被膜は，親水性および吸水性が良好であるため，顔料を吸着しやすく．さらに乾燥を早め，耐熱性にも優れている。【０００８】  この基剤に，界面活性剤および接着剤を混ぜて得られた塗料は，プラスティックにはじかれることなく塗布が可能である。
【発明の効果】
【０００９】  本発明による被膜の形成後，被膜に含まれる界面活性剤が溶解して絵具のはじきを抑制し，意のままに配色ができ，色彩ゆたかな面ができた。またこの被膜は、インクジェットプリンターに適応し，共に乾燥時間を大幅に短縮した。
【実施例】
【００１０】  摂氏２３度，湿度８０％の室内において，絵具とインクの乾燥時間，および接着性を調べるために，通常の絵具で直径５〜１０ｍｍの複数の点を，改質前および改質後のプラスティックシートに描き，また画用紙に描いた花の絵をスキャナーあるいはデジタルカメラでパソコンに取り込み，インクジェットプリンターを用いて，改質前と後の厚さ０．３ｍｍのプラスティックシートに複写した。
【比較例】
【００１１】  絵具の乾燥時間は，改質前で２時間，また改質後では５〜２５分という結果が得られ，剥離も見られなかった。（綿棒で絵具面を軽くこするテスト）。
【００１２】  インクジェットプリンターのインクの乾燥時間は，改善前で１２時間経ても乾燥しないが，改質後では４分という結果が得られ、剥離も見られなかった。（綿棒でインク面を軽くこするテスト）
【実施の結果】
【００１３】  改質前のプリント画像は，インクがはじき鑑賞に耐えないが，改質後のプリント画像はプリンター写真用紙にくらべて鮮明度が若干劣るものの，絵具と共にクラフト材料として十分な実用性が認められた。
【００１４】  また，ペットボトルや模型など，立体的なプラスティックに通常の絵具で描くと，改質前の絵はインクがはじき顔料が流れ像をなさないが，改質後の絵は工作にかなう成果があった。
【産業上の利用可能性】
【００１５】  クラフト材料である従来の透明および白色の熱収縮プラスティックシートに，通常の絵具で描くことはできなかったが、本発明によってそれが可能となった。【００１６】  また画用紙に描いた原画を，インクジェットプリンターによりこのシートに複製ができるので，複数のアクセサリーを作ることが容易になった。【００１７】  さらには，ペットボトルや模型など，立体的なプラスティックに通常の絵具で描く際の，プライマーとしての機能をも有する。
(57)【要約】 【課題】  本発明は、折版屋根における軒先部における雪庇の滑落防止と融雪効果を高めることを目的とする。 【解決手段】  折版屋根材の谷部ａの左右両側頂部ｂ，ｂに設置した定置材１，１に横杆３の各端部３’，３’を嵌装し、この横杆には前記谷部に対し底辺部６が前記谷部の上方向に傾斜位置するように成る雪止め部材４の周側部に設けた吊支杆５の底辺部に停止管７，７を設けて成るもので、前記雪止め部材の構成は格子状に成るものである。【選択図】    図１
2017214716.tif 000002
【特許請求の範囲】
【請求項１】
折版屋根材の谷部の左右両側頂部に設置した定置材に横杆の各端部を嵌装し、この横杆には前記谷部に対し底辺部が上方向に傾斜位置するように成る雪止め部材の周側部に設けた吊支杆の底辺部に停止管を設けて成ることを特徴とする折版屋根における雪止め兼融雪具。
【請求項２】
雪止め部材の構成は格子状に成る請求項１に記載した折版屋根における雪止め兼融雪具。
【請求項３】
雪止め部材の構成は網目状に成る請求項１に折版屋根における雪止め兼融雪具。
【発明の詳細な説明】
【技術分野】
【０００１】
本発明は、折版屋根に設置するための雪止め兼融雪具に関するものである。
【背景技術】
【０００２】
屋根面全体の構成態様において深い谷部を形成する折版屋根にあっては、雪止め手段としては、屋根面の左右両側端部間に長尺のＬ形材を架設するものが普通であるところ、本件出願人にあっては特許文献１，２，３に示すような発明をすでに実施している。
【先行技術文献】
【特許文献】
【０００３】
【特許文献１】特開２０１６−２０６１４号公報
【特許文献２】特開２０１６−２０６１５号公報
【特許文献３】特開２０１６−２０６１６号公報
【特許文献４】特開２０１５−１１７５０１号公報
【０００４】
また、他社のものとしては、特許文献４に示すような発明も先願として存在するが、これは折版屋根の軒先融雪を促進することを目的とするとはいえ、吊下部材の全体は網目形状になるとともに前後両方向に自由に誘導する構造になるものであるため、軒先部への雪庇の滑落は防止できるとは限らず、確実な融雪効果も期待することができないのである。
【発明の概要】
【発明が解決しようとする課題】
【０００５】
そこで、本発明にあっては、積雪の軒先部への雪庇の滑落防止を確実に行うとともに、常設状態にあっても融雪効果を確実に発揮することができる構造の雪止め具を提供することを目的とするものである。
【課題を解決するための手段】
【０００６】
本発明は、折版屋根材の谷部の左右両側頂部に設置した定置材に横杆の各端部を嵌装し、この横杆には前記谷部に対し底辺部が前記谷部の上方向に傾斜位置するように成る雪止め部材の周側部に設けた吊支杆の底辺部に停止管を設けて成るものである。
【発明の効果】
【０００７】
いま折版屋根の各谷部の傾斜面を積雪が滑落しようとすると、各雪止め部材の吊支杆に設けた格子面又は網目面を加圧するが、雪止め部材の吊支杆の底辺部に設けた停止管が抵抗して滑落力を停止しようとするから、雪止め部材の吊支杆の底辺部の上方向への傾斜位置と相俟って、その滑落阻止の効果を強力に発揮することができるようになる。
【０００８】
この雪止め部材の取付け位置は折版屋根の谷部のどこでもよいが、効果的なのは雪庇が起こる軒先部である。
【図面の簡単な説明】
【０００９】
【図１】本発明の折版屋根谷部における取付状態を示す一実施例の斜視図
【図２】本発明の折版屋根谷部における取付状態を示す他実施例の斜視図
【図３】本発明の折版屋根谷部における取付状態を示す他々実施例の斜視図
【発明を実施するための形態】
【００１０】
いま本発明に係る雪止め部材を折版屋根の各谷部に取付けるときは、予め設置した折版屋根の谷部の左右両側頂部上の定置材に雪止め部材上の横杆の左右両端部を嵌装し、その雪止め部材の全体を傾斜谷部の上方向に傾斜せしめて設置する。すると、雪止め部材の吊支杆の底辺部上の停止管は、傾斜する上方向に向けて停止し抵抗するとともに積雪の滑落を雪止め部材の全体面で受け止めるようにする。
【実施例】
【００１１】
ａは折版屋根の一断面部の谷部を示し、ｂ，ｂはこの折版屋根の谷部の左右両側頂部を示す。
【００１２】
１，１は前記折版屋根谷部ａの左右両側頂部ｂ，ｂ上に設置する定置材で、その全体形状は取付く前記両側頂部に整合する形状になり、その両内側部には雪止め部材４の横杆３の左右端部を嵌装する枢支部２，２を設ける。
【００１３】
３は雪止め部材４の上端部に架設した横杆で、この横杆の左右両端部３’，３’は、前記枢支部２，２内に嵌装した後は前記雪止め部材の取付け方向とは反対方向に曲折している。
【００１４】
５は前記雪止め部材４の周側部に設けた吊支杆で、この吊支杆５の上端部は前記横杆３に連設する。
【００１５】
６は前記吊支杆５の底辺部で、この底辺部には滑り止め用の停止管７，７を設けるが、その材質は任意である。
【符号の説明】
【００１６】
１，１                        定置材
２，２                        枢支部
３                            横杆
３’，３’                    横杆の左右端部
４                            雪止め部材
５                            吊支杆
６                            底辺部
７，７                        停止管
ａ                            折版屋根の谷部
ｂ，ｂ                        谷部の左右両側頂部
【図１】
2017214716.tif 000003
【図２】
2017214716.tif 000004
【図３】
2017214716.tif 000005